(57)【特許請求の範囲】
【請求項１】
筐体内部に設けられると共に、該筐体の表面から露出して押下操作可能な操作キーと、
該操作キーに隣接する位置に設けられて、光を透過させる材料から形成されて、前記操作キーの機能を示す情報が記載された情報装飾部と、
前記筐体内部の前記情報装飾部と厚さ方向に重なる位置に配されて光を発する光源部と、
文字、記号、画像等の各種情報を表示する表示部と、
前記情報装飾部に隣接する前記操作キーの押下操作に基づいて、前記表示部の表示を変更する制御部と、
を備え、
前記表示部は、前記文字、記号、画像等の各種情報を含む仮想画面の少なくとも一部を表示し、
前記制御部は、前記仮想画面が前記表示部の表示面よりも大きく、前記操作キーの押下操作に基づいて前記表示面への前記仮想画面の表示部分を変更できる場合に、前記光源部を発光させることを特徴とする携帯電子機器。
【請求項２】
前記情報装飾部に隣接する前記操作キーが複数設けられ、
前記複数の操作キーの間に、前記情報装飾部が配されていることを特徴とする請求項１に記載の携帯電子機器。
【請求項３】
前記光源部及び前記操作キーが複数設けられ、
これら複数の光源部が、前記各操作キーに隣接する位置に各々配され、
前記制御部が、前記仮想画面に対して前記表示部分を変更できる方向を示す前記操作キー用の前記光源部を発光させることを特徴とする請求項１に記載の携帯電子機器。
【請求項４】
前記複数の光源部が、互いに異なる色の光を発するように構成されていることを特徴とする請求項３に記載の携帯電子機器。
【請求項５】
前記操作キーが、キートップを薄膜状に形成された弾性変形可能なラバーシートの表面に固定して構成され、
前記情報装飾部が、前記ラバーシートの表面に固定され、
前記ラバーシートが、前記光源部からの光を拡散しながらその厚さ方向に透過して前記情報装飾部に到達させるように形成されていることを特徴とする請求項１から請求項４のいずれか１項に記載の携帯電子機器。
【発明の詳細な説明】
【技術分野】
【０００１】
この発明は、各種情報を入力するための操作キーを備える携帯電子機器に関する。
【背景技術】
【０００２】
従来、携帯電話機、ＰＤＡ（Personal Digital Assistants）、デジタルカメラ、デジタルビデオカメラ、ノート型パーソナルコンピュータ等の携帯電子機器としては、暗いところでも操作ができるように、押下操作可能な複数の操作キーを筐体の内部側から照らし出す発光ダイオード等の光源を備えたものがある（例えば、特許文献１参照。）。この光源は、相互に隣り合う操作キーの隙間に配されており、光源から拡散する光によって各操作キーに印刷された文字等の情報が照らし出されるようになっている。
ところで、この種の携帯電子機器に対しては、携行性の向上を目的として筐体の小型化や薄型化が要求されている一方で、多くの機能を付加することも要求されている。多くの機能を付加する要求に対しては、例えば、各機能に応じた操作キーの数を増加させることが考えられる。
【特許文献１】特開平９−６２２０１号公報
【発明の開示】
【発明が解決しようとする課題】
【０００３】
しかしながら、上記従来の携帯電子機器では、操作キーからずらした位置に光源を配しているため、各操作キーを照らし出す光源からの照明光にむらが発生し、各操作キーに印刷された情報を十分に視認することができない、すなわち、暗所における携帯電子機器の操作性が低下するという問題がある。
また、上記従来の携帯電子機器において、筐体の小型化や薄型化を考慮しながら操作キーの数を増加させる場合には、相互に隣り合う操作キーを同一の光源により照らし出す必要もあるため、複数の操作キーを相互に近接する位置に配する必要があり、また、筐体表面への各操作キーの露出面積を小さくする必要もある。このような構成とした場合、携帯電子機器の使用者が所望の操作キーに隣接する別の操作キーを誤って同時に押下操作するおそれがある。
この発明は、上述した事情に鑑みてなされたものであって、暗いところでも各操作キーの役割を把握できるようにして、操作キーを容易に操作できる携帯電子機器を提供することを目的としている。
また、この発明は、昼夜を問わず、上記所望の操作キーが確実に押下操作されるように、各機能を発揮するために有効な操作キーのみを携帯電子機器の使用者に報知することができる携帯電子機器を提供することを目的としている。
【課題を解決するための手段】
【０００４】
上記課題を解決するために、この発明は以下の手段を提案している。
本発明に係る携帯電子機器は、筐体内部に設けられると共に、該筐体の表面から露出して押下操作可能な操作キーと、該操作キーに隣接する位置に設けられて、光を透過させる材料から形成されて、前記操作キーの機能を示す情報が記載された情報装飾部と、前記筐体内部の前記情報装飾部と厚さ方向に重なる位置に配されて光を発する光源部と、文字、記号、画像等の各種情報を表示する表示部と、前記情報装飾部に隣接する前記操作キーの押下操作に基づいて、前記表示部の表示を変更する制御部と、を備え、前記表示部は、前記文字、記号、画像等の各種情報を含む仮想画面の少なくとも一部を表示し、前記制御部は、前記仮想画面が前記表示部の表示面よりも大きく、前記操作キーの押下操作に基づいて前記表示面への前記仮想画面の表示部分を変更できる場合に、前記光源部を発光させることを特徴とする。
【０００５】
また、前記情報装飾部に隣接する前記操作キーが複数設けられ、前記複数の操作キーの間に、前記情報装飾部が配されていることを特徴とする。
【０００６】
また、前記光源部及び前記操作キーが複数設けられ、これら複数の光源部が前記各操作キーに隣接する位置に各々配され、前記制御部が前記仮想画面に対して前記表示部分を変更できる方向を示す前記操作キー用の前記光源部を発光させることを特徴とする。
さらに、前記複数の光源部が、互いに異なる色の光を発するように構成されていることを特徴とする。
【０００７】
また、本発明に係る携帯電子機器は、前記操作キーが、キートップを薄膜状に形成された弾性変形可能なラバーシートの表面に固定して構成され、前記情報装飾部が、前記ラバーシートの表面に固定され、前記ラバーシートが、前記光源部からの光を拡散しながらその厚さ方向に透過して前記情報装飾部に到達させるように形成されていることを特徴とする。
【発明の効果】
【０００８】
この発明によれば、情報装飾部の直下に光源部が配されているため、光源部からの光を情報装飾部の記載内容を確実に照らし出すことができる、すなわち、情報装飾部においては光源部からの照明光にむらが発生しない。このため、暗い場所においても情報装飾部に記載された情報を確実に視認することができる。したがって、暗い場所においても情報装飾部に隣接する操作キーの役割を確実に把握することができるため、操作キーの操作性を飛躍的に向上させることができる。
また、この発明によれば、暗い場所においても、必要に応じて制御部が光源部を発光させることで、光源部からの照明光によって情報装飾部に記載された情報を視認して、情報装飾部に隣接する操作キーの役割を確実に把握することができる。このため、昼夜を問わず、仮想画面の表示部分を切り換えるという機能に対応する操作キーが確実に押下操作されるように、前記操作キーが有効であることを携帯電子機器の使用者に報知することができる。
【発明を実施するための最良の形態】
【０００９】
この発明の各実施形態を図面に基づいて説明する。なお、以下の各実施形態の説明において、同一部分には同一符号を付し、重複する説明を省略するものとする。
【００１０】
図１から図４は本発明に係る第１の実施形態を示している。図１に示すように、この実施の形態に係る携帯電話機（携帯電子機器）１は、第１の筐体２と、この第１の筐体２の厚さ方向に重ね合わせ可能な第２の筐体３と、これら２つの筐体２，３を相互に折り畳み自在に連結するヒンジ部５とを備えている。ヒンジ部５は、２つの筐体２，３の各端部２ａ，３ａ（以下、基端部２ａ，３ａと呼ぶ。）同士を連結するように配されている。
【００１１】
第２の筐体３の内部には、ＬＣＤ（Liquid Crystal Display）等、文字、記号、画像等の各種情報を表示する表示面７ａを有する表示部７及び通話用のスピーカ部９が設けられている。表示部７の表示面７ａは、２つの筐体２，３を相互に重ね合わせた状態において第１の筐体２に対向する第２の筐体３の対向面３ｃ側から外方に露出している。また、スピーカ部９は、基端部３ａとは反対側に位置する第２の筐体３の先端部３ｂに配されており、第２の筐体３の対向面３ｃから第２の筐体３の内部空間に貫通する開口部３ｄを介して外方に露出している。
【００１２】
第１の筐体２の内部には、キー操作部１１及びマイクロフォン部１３が設けられている。キー操作部１１は、通話キー、終話キー、テンキー、方向キー等の各種操作キー１５を複数備えている。また、キー操作部１１は、表示部７の表示面７ａに表示される各種情報を表示面７ａの表示領域単位でスクロールさせるための上方向ページキー（操作キー）１７ａ及び下方向ページキー（操作キー）１７ｂも備えている。これら上方向ページキー１７ａ及び下方向ページキー１７ｂには、それぞれスクロール方向を示す情報が記載されている。すなわち、上方向ページキー１７ａには、「△」と記載され、下方向ページキー１７ｂには、「▽」と記載されている。
【００１３】
上述した各種操作キー１５、上方向ページキー１７ａ及び下方向ページキー１７ｂは、それぞれ押下操作可能となっており、２つの筐体２，３を相互に重ね合わせた状態において第２の筐体３に対向する第１の筐体２の対向面（表面）２ｃから外方に露出している。
マイクロフォン部１３は、前述したスピーカ部９と共に通話に使用するものであり、基端部２ａとは反対側に位置する第１の筐体２の先端部２ｂ側に配されている。このマイクロフォン部１３は、第１の筐体２の対向面２ｃから第１の筐体２の内部空間に貫通する開口部２ｄを介して外方に露出している。なお、図中の符号１９は、基地局と無線通信を行うためのアンテナである。
【００１４】
また、前述したキー操作部１１を構成する上方向ページキー１７ａ及び下方向ページキー１７ｂの間には、これら各ページキー１７ａ，１７ｂの機能を示す情報を記載した、具体的には、「ＰＡＧＥ」と記載された情報装飾部２１が隣接して配されている。この情報装飾部２１は、光を透過させる材料から形成されている。
上方向ページキー１７ａ及び下方向ページキー１７ｂは、図２に示すように、それぞれ「△」及び「▽」と記載したキートップ２３ａ，２３ｂを、薄膜状に形成された弾性変形可能な１枚のラバーシート２５の表面２５ａに固定して構成されている。なお、この構成は、前述した各種操作キー１５についても同じである。
【００１５】
キートップ２３ａ，２３ｂは、情報装飾部２１と同様に、光を透過させる材料から形成されており、第１の筐体２の対向面２ｃから内部空間に貫通する開口部２ｅを介して外方に露出している。ラバーシート２５は、光を拡散しながらその厚さ方向に透過させるように形成されており、また、第１の筐体２の内部に配されたキー基板２７の表面２７ａに配されている。そして、キートップ２３ａ，２３ｂをキー基板２７の表面２７ａに向けて押下した際には、ラバーシート２５が弾性変形してキー基板２７の表面２７ａに形成されたスイッチパターン２９と当接するようになっている。このスイッチパターン２９は、後述する制御部と電気的に接続されている。
【００１６】
情報装飾部２１はキートップ２３ａ，２３ｂと同様にラバーシート２５の表面２５ａに固定されており、この情報装飾部２１の直下に位置するラバーシート２５には、キー基板２７の表面２７ａに向けて突出する複数のリブ２５ｂが一体的に形成されている。これらリブ２５ｂはキー基板２７の表面２７ａに当接しているため、情報装飾部２１はキートップ２３ａ，２３ｂのように押下されないようになっている。
また、ラバーシート２５に対向するキー基板２７の表面２７ａのうち、情報装飾部２１と厚さ方向に重なる位置には、光を発する発光ダイオード等の光源部３１が設けられている。この光源部３１から発生した光は、ラバーシート２５において拡散しながらその厚さ方向に透過し、情報装飾部２１を照らし出すようになっている。なお、ラバーシート２５において拡散した光の一部は、２つのキートップ２３ａ，２３ｂにも到達して各キートップ２３ａ，２３ｂを照らし出すようにもなっている。
【００１７】
また、この携帯電話機１には、図３に示すように、無線部３３、メモリ部３５、および制御部３７が設けられている。
無線部３３は、アンテナ１９及び図示しない通信ネットワークを介して、他の電話機との間で通話したり、図示しない他の端末装置やサーバとの間で電子メール、インターネットのホームページ等の各種情報を送受信するものである。
【００１８】
メモリ部３５には、文字、記号、画像等の各種情報を含む仮想画面が記憶されている。仮想画面は、表示部７において閲覧するためのものであり、例えば、図４に示すように、インターネットのホームページ等、各種情報が所定位置に配列されてなるものである。この仮想画面３９には、表示部７の表示面７ａと同等の領域のものに限らず、表示部７の表示面７ａよりも小さい領域や大きい領域を有するものもある。したがって、例えば、パーソナルコンピュータに表示するための構成を有するインターネットのホームページのように、仮想画面３９が表示部７の表示面７ａの領域よりも上下方向（ＡＢ方向）に長い場合、表示部７の表示面７ａには仮想画面の一部のみが表示されることになる。
【００１９】
制御部３７は、無線部３３において取得した仮想画面３９等の各種情報をメモリ部３５に記憶させると共に、キー操作部１１の各種操作キー１５の操作に基づいて各種情報を表示部７に表示させるようになっている。また、この制御部３７は、仮想画面３９が表示部７の表示面７ａよりも上下方向に長い場合に、光源部３１を発光させて情報装飾部２１を照らし出すと共に、キー操作部１１の上方向ページキー１７ａや下方向ページキー１７ｂの押下操作に基づいて、表示面７ａへの仮想画面３９の表示部分を変更させるようになっている。
【００２０】
以上のように構成された携帯電話機１の動作について説明する。
携帯電話機１において、例えば、インターネットのホームページを閲覧する場合には、操作部６において所定の操作を行うことにより、制御部３７が、ブラウザを起動してホームページである仮想画面３９を表示部７に表示させる。ここで、仮想画面３９が、表示部７の表示面７ａにこれよりも大きい場合には、制御部３７が、光源部３１を発光させて情報装飾部２１、上方向ページキー１７ａ及び下方向ページキー１７ｂを照らし出す。
そして、例えば、表示部７の表示面７ａに表示される仮想画面３９の表示領域３９ａが仮想画面３９の上端部分となっている状態において、下方向ページキー１７ｂが１回押下操作されると、表示面７ａが仮想画面３９に対してその下方向（Ｂ方向）に瞬時に移動するように、制御部３７が元の表示領域３９ａの下端部に隣接する別の表示領域３９ｂを表示面７ａに表示させる。
【００２１】
さらに、表示面７ａが別の表示領域３９ｂを表示している状態において、上方向ページキー１７ａが１回押下操作されると、表示面７ａが仮想画面３９に対してその上方向（Ａ方向）に瞬時に移動するように、制御部３７が元の表示領域３９ａを表示面７ａに表示させる。
なお、表示面７ａへの表示が元の表示領域３９ａと別の表示領域３９ｂとの間で切り換えられる際には、切換前後の表示領域３９ａ，３９ｂの一部が相互に重なるようになっており、切換前後の表示領域３９ａ，３９ｂの対応関係を容易に把握できるようになっている。
【００２２】
上記のように、この携帯電話機１によれば、情報装飾部２１の直下に光源部３１が配されているため、光源部３１からの光を情報装飾部２１の記載内容を確実に照らし出すことができる。すなわち、情報装飾部２１においては光源部３１からの照明光にむらが発生しないため、暗い場所においても、情報装飾部２１に記載された「ＰＡＧＥ」という情報を確実に視認することができる。したがって、暗い場所においても情報装飾部２１に隣接する上方向ページキー１７ａ及び下方向ページキー１７ｂの役割を確実に把握することができるため、これらページキー１７ａ，１７ｂの操作性を向上させることができる。
【００２３】
また、押下操作可能な上方向ページキー１７ａ及び下方向ページキー１７ｂの間に、押下されることがない情報装飾部２１が配されているため、上方向ページキー１７ａ及び下方向ページキー１７ｂは相互に離間した位置に配されることになる。したがって、第１の筐体２の対向面２ｃから外方に露出するキートップ２３ａ，２３ｂの面積、すなわち、上方向ページキー１７ａ及び下方向ページキー１７ｂの押下面積が小さくても、これら２つのページキー１７ａ，１７ｂのうち一方のみを確実に押下操作することができ、２つのページキー１７ａ，１７ｂが誤って同時に押下されることを確実に防止することができる。
【００２４】
さらに、仮想画面３９が表示面７ａよりも上下方向に長い場合には、光源部３１が発光して情報装飾部２１を照らし出すため、上方向ページキー１７ａ及び下方向ページキー１７ｂの押下操作に基づいて表示面７ａに表示される仮想画面３９の表示領域３９ａ，３９ｂを切換できることを携帯電話機１の使用者に報知することができる。すなわち、昼夜を問わず、仮想画面３９の表示領域３９ａ，３９ｂを切り換えるという機能に対応する２つのページキー１７ａ，１７ｂのみが確実に押下操作されるように、これら２つのページキー１７ａ，１７ｂが有効であることを携帯電話機１の使用者に報知することができる。したがって、上方向ページキー１７ａ及び下方向ページキー１７ｂを容易に操作することができる。
【００２５】
また、上方向ページキー１７ａ及び下方向ページキー１７ｂのキートップ２３ａ，２３ｂ及び情報装飾部２１が、同一のラバーシート２５の表面２５ａに固定されているため、情報装飾部２１をキートップ２３ａ，２３ｂと同時にラバーシート２５の表面２５ａに固定することができる。したがって、携帯電話機１の製造工程数を削減して、その製造コストの削減を図ることができる。
さらに、キートップ２３ａ，２３ｂ及び情報装飾部２１を配したラバーシート２５が、光源部３１から発生する光を拡散させながら情報装飾部２１に到達するように形成されているため、確実に情報装飾部２１全体を均一に照らし出すことができる。
【００２６】
次に、本発明による第２の実施形態について図５及び図６を参照して説明する。図５に示すように、この実施形態に係る携帯電話機においては、ラバーシート２５に対向するキー基板２７の表面２７ａのうち、情報装飾部２１と厚さ方向に重なる位置に、発光ダイオード等の光源部４１，４３が２つ並べて設けられている。
各光源部４１，４３は、上方向ページキー１７ａ及び下方向ページキー１７ｂのそれぞれに隣接して配されており、互いに異なる色の光を発するように構成されている。また、これら２つの光源部４１，４３の間には、キー基板２７の表面２７ａからこれに対向するラバーシート２５まで延びる隔壁部４５が設けられており、この隔壁部４５は光を透過させない材料により形成されている。
【００２７】
したがって、一方の光源部４１からの光は、上方向ページキー１７ａ及び情報装飾部２１を照らし出すが、下方向ページキー１７ｂを照らし出すことはない。また、これと同様に、他方の光源部４３からの光は、下方向ページキー１７ｂ及び情報装飾部２１を照らし出すが、上方向ページキー１７ａを照らし出すことはない。
なお、一方の光源部４１は、表示部７の表示面７ａに表示される仮想画面３９の表示領域の上方向（Ａ方向）に仮想画面３９が延びている場合にのみ、制御部３７からの指示に基づいて発光するようになっている。また、他方の光源部４３は、表示部７の表示面７ａに表示される仮想画面３９の表示領域の下方向（Ｂ方向）に仮想画面３９が延びている場合にのみ、制御部３７からの指示に基づいて発光するようになっている。
【００２８】
このように構成された携帯電話機では、図６に示すように、制御部３７の指示に基づいて予め２つの光源部４１，４３を消灯させた状態（ステップＳ１）において、制御部３７が仮想画面３９を表示部７の表示面７ａに表示させた際には、表示面７ａの上方向に仮想画面３９が延びているか否か、すなわち、表示面７ａの上方向に表示させるデータが存在するか否かを判断する（ステップＳ２）。
このステップＳ２において、表示面７ａの上方向に仮想画面３９の表示領域が延びていると判断された場合には、制御部３７が、上方向ページキー１７ａを照らし出す一方の光源部４１を点灯させる（ステップＳ３）。そして、この点灯により、表示面７ａの上方向に仮想画面３９の表示領域が存在することを携帯電話機のユーザーに報知する。ここで、ユーザーが上方向ページキーを押下操作する（ステップＳ４）と、再びステップＳ２に戻る。
【００２９】
また、このステップＳ２において、表示面７ａの上方向に仮想画面３９の表示領域が存在しないと判断された場合には、制御部３７が、一方の光源部４１を消灯させ（ステップＳ５）、表示面７ａの下方向に仮想画面３９の表示領域が延びているか否か、すなわち、表示面７ａの下方向に表示させるデータが存在するか否かを判断する（ステップＳ６）。
このステップＳ６において、表示面７ａの下方向に仮想画面３９の表示領域が延びていると判断された場合には、制御部３７が、下方向ページキー１７ｂを照らし出す他方の光源部４３を点灯させる（ステップＳ７）。そして、この点灯により、表示面７ａの下方向に仮想画面３９の表示領域が存在することを携帯電話機のユーザーに報知する。ここで、ユーザーが下方向ページキー１７ｂを押下操作する（ステップＳ８）と、再びステップＳ６に戻る。
また、このステップＳ６において、表示面７ａの下方向に仮想画面３９の表示領域が存在しないと判断された場合には、制御部３７が、他方の光源部４３を消灯させ（ステップＳ９）、ステップＳ２に戻る。
【００３０】
上記のように、この携帯電話機によれば、第１の実施形態と同様の効果を奏する。
また、２つの光源部４１，４３を上方向ページキー１７ａ及び下方向ページキー１７ｂのそれぞれに隣接して配しておくことにより、表示面７ａを仮想画面３９に対して相対的にスクロールできる方向を示すページキー１７ａ，１７ｂのみを照らし出して、使用可能なページキー１７ａ，１７ｂのみを携帯電話機のユーザーに報知することができる。したがって、これら２つのページキー１７ａ，１７ｂをさらに容易に操作することができる。
【００３１】
なお、上述した第２の実施形態においては、制御部３７の指示に基づいて２つの光源部４１，４３のどちらか一方のみが発光するように構成されるとしたが、これに限ることはなく、表示部７の表示面７ａに表示される仮想画面３９の表示領域の上下方向の両方に仮想画面３９が延びている場合には、２つの光源部４１，４３を同時に発光させるとしても構わない。
この場合には、２つの光源部４１，４３が相互に異なる色の光を発するため、同時に発光しても照らし出されている２つのページキー１７ａ，１７ｂを容易に識別することができる。したがって、これらページキー１７ａ，１７ｂによる表示面７ａのスクロール操作を容易に行うことができる。
【００３２】
なお、上述した全ての実施形態において、上方向ページキー１７ａ及び下方向ページキー１７ｂは、１回押下操作される毎に仮想画面３９の表示領域を表示面７ａの領域単位でスクロールさせる機能を有するとしたが、これに限ることはなく、例えば、継続して押下操作された際に表示面７ａに表示される仮想画面３９の表示領域を連続的に移動させるようにスクロールさせる機能を有するとしても構わない。
また、情報装飾部２１の両側に上方向ページキー１７ａ及び下方向ページキー１７ｂが配されるとしたが、これに限ることはなく、少なくとも１つの押下操作可能な操作キーが情報装飾部２１に隣接して配されていればよい。すなわち、例えば、情報装飾部２１を四方から囲むように、仮想画面３９を表示面７ａに表示される表示領域単位で上下左右の各方向にスクロールさせる４つのページキー（操作キー）が、情報装飾部２１に隣接して配されるとしても構わない。この構成の場合には、例えば、上記第２の実施形態の構成と同様に、４つのページキーのそれぞれに隣接するように、情報装飾部２１の直下に光源部を４つ設けてもよい。
【００３３】
さらに、例えば、通話キーや終話キー等の各種操作キー１５の１つが情報装飾部２１に隣接して配されるとしてもよい。この構成の場合には、通話開始や通話終了等の機能を示す情報を情報装飾部２１に記載しておけばよい。
また、上方向ページキー１７ａや下方向ページキー１７ｂのキートップ２３ａ，２３ｂは、光を透過させる材料から形成されるとしたが、少なくとも情報装飾部２１に各ページキー１７ａ，１７ｂの機能を示す情報が光源部３１により照らし出されればよいため、光を透過しない材料から形成されるとしても構わない。
【００３４】
さらに、上方向ページキー１７ａや下方向ページキー１７ｂのキートップ２３ａ，２３ｂには、「△」や「▽」のように、その機能を示す情報が記載されるとしたが、これに限ることはなく、少なくとも情報装飾部２１に各ページキー１７ａ，１７ｂの機能を示す情報が記載されていればよい。
また、ヒンジ部５によって互いに連結された２つの筐体２，３を備える携帯電話機１について述べたが、これに限ることはなく、例えば、１つの筐体から構成される携帯電話機であっても構わない。
【００３５】
さらに、携帯電話機に限ることはなく、例えば、ＰＤＡやデジタルカメラ、デジタルビデオカメラ、ノート型パーソナルコンピュータに適用しても構わない。
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００３６】
【図１】この発明の第１の実施形態に係る携帯電話機の第１、第２の筐体を相互に開いた状態を示す概略斜視図である。
【図２】図１の携帯電話機において、ページキー、情報装飾部及び光源部を示す拡大断面図である。
【図３】図１の携帯電話機において、電気的な構成を示すブロック図である。
【図４】図１の携帯電話機において、ページキーによる表示領域の画面切り換えを示す図である。
【図５】この発明の第２の実施形態に係る携帯電話機において、ページキー、情報装飾部及び光源部を示す拡大断面図である。
【図６】この発明の第２の実施形態に係る携帯電話機において、表示部の表示変更に伴う２つの光源部の点灯・消灯の制御フローを示す図である。
【符号の説明】
【００３７】
１  携帯電話機（携帯電子機器）
２  第１の筐体
２ｃ  対向面（表面）
７  表示部
７ａ  表示面
１７ａ  上方向ページキー（操作キー）
１７ｂ  下方向ページキー（操作キー）
２１  情報装飾部
２３ａ，２３ｂ  キートップ
２５  ラバーシート
２５ａ  表面
３１，４１，４３  光源部
３７  制御部
３９  仮想画面
【図１】
0004615409.tif 000002
【図２】
0004615409.tif 000003
【図３】
0004615409.tif 000004
【図４】
0004615409.tif 000005
【図５】
0004615409.tif 000006
【図６】
0004615409.tif 000007